(57)【要約】      （修正有）【課題】子供が自由に創造して立体的な積木を楽しむことができ、しかも積み重ねた積木体を動かして遊ぶことができる変形積木を提供する。【解決手段】一対の角柱駒１〜４の厚さの等しい角辺１ａ〜４ａ同士間に、両側部Ｓａを両角柱駒１〜４内に埋設した軟質シートＳによりヒンジＳｂを形成することにより、両角柱駒１〜４を回動自在に連結した複数個の積木体Ａ〜Ｄよりなる。【選択図】図１
0003193883.tif 000002
【実用新案登録請求の範囲】
【請求項１】
一対の角柱駒の厚さの等しい角辺同士間に、両側部を両角柱駒内に埋設した軟質シートによりヒンジを形成することにより、両角柱駒を回動自在に連結した複数個の積木体よりなることを特徴とした変形積木。
【請求項２】
同一大の直角二等辺三角形よりなる一対の三角柱駒の同一角辺同士間に、両側部を両三角柱駒内に埋設した軟質シートによりヒンジを形成することにより、両三角柱駒を回動自在に連結した複数個の三角積木体と、
各辺の長さが前記三角柱駒における二等辺の長さと同一である一対の立方角柱駒の角辺同士間に、両側部を両内に埋設した軟質シートによりヒンジを形成することにより、両立方角柱駒を回動自在に連結した複数個の立方積木体と、
一辺の長さが前記三角柱駒における二等辺の長さと同一で、他辺の長さが、二等辺の長さの１／２の長さの矩形で、且つ厚さが前記三角柱駒の厚さと同一である一対の直方角柱駒の角辺同士間に、両側部を直方角柱駒内に埋設した軟質シートによりヒンジを形成することにより、両直方角柱駒を回動自在に連結した複数個の直方積木体とよりなることを特徴とした変形積木。
【考案の詳細な説明】
【技術分野】
【０００１】
本考案は、積木体を変形させながら積木遊びができる変形積木に関するものである。
【背景技術】
【０００２】
実用新案登録第３０１３２２３号公報には、複数の積木片の何れか一方の面に柔軟な材質からなる連結部を設け、前記各積木片をその隣接部において折り曲げ自在とした積木が開示されている。
【０００３】
上記積木は、連結された積木片の頻繁な折り曲げにより、連結部におけるヒンジが積木片から剥離し、その結果、積木片の積み重ねが不揃いになるとか、剥離部分が切断して使用不可能になる虞がある。また両積木片は連結部が貼着された側への折り曲げはできても、反対側への折り曲げは不可能であり、子供が使用する変形積木としては適切なものではない。
【先行技術文献】
【特許文献】
【０００４】
【特許文献１】実用新案登録第３０１３２２３号公報
【考案の概要】
【考案が解決しようとする課題】
【０００５】
本考案は、子供が自由に創造して立体的な積木を楽しむことができ、しかも積み重ねた積木体を動かして遊ぶことができる変形積木を提供することを目的としている。
【課題を解決するための手段】
【０００６】
本考案に係る請求項１の変形積木は、一対の角柱駒の厚さの等しい角辺同士間に、両側部を両角柱駒内に埋設した軟質シートによりヒンジを形成することにより、両角柱駒を回動自在に連結した複数個の積木体よりなることを特徴としている。
【０００７】
本考案に係る請求項２の変形積木は、同一大の直角二等辺三角形よりなる一対の三角柱駒の同一角辺同士間に、両側部を両三角柱駒内に埋設した軟質シートによりヒンジを形成することにより、両三角柱駒を回動自在に連結した複数個の三角積木体と、
各辺の長さが前記三角柱駒における二等辺の長さと同一である一対の立方角柱駒の角辺同士間に、両側部を両内に埋設した軟質シートによりヒンジを形成することにより、両立方角柱駒を回動自在に連結した複数個の立方積木体と、
一辺の長さが前記三角柱駒における二等辺の長さと同一で、他辺の長さが、二等辺の長さの１／２の長さの矩形で、且つ厚さが前記三角柱駒の厚さと同一である一対の直方角柱駒の角辺同士間に、両側部を直方角柱駒内に埋設した軟質シートによりヒンジを形成することにより、両直方角柱駒を回動自在に連結した複数個の直方積木体とにより構成したことを特徴としている。
【０００８】
上記請求項１及び２の変形積木における一対の角柱駒には、三角形の角柱駒とか、四角形の角柱駒を使用し、この角柱駒の角辺同士を回動自在に連結した軟質シートには、フェルトのような強い布とか、柔軟で屈伸動作に強いレザー、合成樹脂シート等を使用している。しかもこの軟質シートは、両側部を夫々角柱駒内に埋設することにより、角柱駒からの離脱を防止すると共に、角柱駒の角辺間に形成されるヒンジの幅が伸びて損傷するのを防止している。
【０００９】
請求項１の変形積木における積木体にあっては、立方角柱駒の両側の角辺に三角柱駒に角辺を軟質シートで連結するとか、直方角柱駒の両側の角辺に立方角柱駒を軟質シートで連結することもある。
【００１０】
請求項２の変形積木における三角積木体にあっては、直角二等辺三角形の内角が９０度の角辺同士を連結する場合と、内角が４５度の角辺同士を連結する場合がある。
【００１１】
また本考案の変形積木は、三角積木体、立方積木体、直方積木体の各ヒンジの方向を水平状態にして積み重ねを行うものであり、積み方としては、各積木体の角柱駒同士を、ヒンジを軸として回動し、角柱駒同士により形成された谷と山を噛み合わせて積み上げたり、角柱駒同士の回動により形成された平面上に、別の積木体を重ね積みする。なお机上において、三角積木体と立方積木体と直方積木体を平面状に並べて遊ぶ場合は、ヒンジを縦方向にして扱う。
【考案の効果】
【００１２】
本考案に係る請求項１及び２の変形積木は、積木体の角柱駒を、ヒンジを中心として回動させ、山と谷を噛み合わせながら積み重ねて、子供が創造した動物とか乗り物を形成し、更に積み重ねた積木体の角柱駒を回動させて変形させることにより、新たな動物とか乗物に容易に変化させることができる。また組立てた動物の頭に相当する角柱駒を動かしたり、足に相当する角柱駒を動かしたりして遊ぶことができる。
【００１３】
請求項２の三角柱駒における二等辺三角形の二等辺の長さを基尺として、各角柱駒を構成したから、バランス良く積み重ねることができる。更に前記したように各角柱駒同士により形成された山と谷を噛み合わせて積み上げるため、簡単に倒れることのない積み重ねができる。
【００１４】
殊に本考案に係る変形積木は、隣接する角柱駒を連結した軟質シートの両側部が、夫々角柱駒内に埋め込まれ、固定されているため、軟質シートが各角柱駒から剥がれたり、破損したりすることがなく、子供が頻繁にさせてもヒンジの巾が伸びて扱い難くなるようなことがなく、永く安心して使用することができる。
【００１５】
また角柱駒を２等分した形状の部材を予め用意し、この部材間に軟質シートの両側部を挟んで接着するとか、角柱駒の角辺から内側に向かって溝を刻設し、この溝内に軟質シートの両側部を嵌入して接着することにより、丈夫な積木体を容易に生産することができる。
【図面の簡単な説明】
【００１６】
【図１】本考案に係る変形積木の実施形態を示す斜視図である。
【図２】同上実施形態における変形積木の積み重ねの一例を示す斜視図である。
【図３】同上実施形態における変形積木の積み重ねの一例を示す斜視図である。
【図４】同上実施形態における変形積木の積み重ねの一例を示す斜視図である。
【図５】同上実施形態における変形積木の積み重ねの一例を示す斜視図である。
【図６】同上実施形態における変形積木の積み重ねの一例を示す斜視図である。
【図７】同上実施形態における別の積木体を示す斜視図である。
【図８】同上実施形態の別の積木体を使用した積み重ねの一例を示す斜視図である。
【考案を実施するための形態】
【００１７】
以下、本考案に係る請求項１及び２の変形積木の実施形態を図１〜図８を参照して詳細に説明する。
【００１８】
符号Ａは三角積木体であり、図１(ａ)に示すように、一対の直角二等辺三角形の三角柱駒１，１の内角が９０度の角辺1a同士を、両側部Sa，Saを両三角駒１，１内に埋設したフェルト製の軟質シートＳにより回動自在に連結し、角辺1a，1a間に、軟質シートＳによるヒンジSbを形成している。
【００１９】
符号Ｂは別の三角積木体であり、図１(ｂ)に示すように、隣接した直角二等辺三角形の三角柱駒２，２の内角が４５度の角辺2a同士を、両側部Sa，Saを両三角柱駒１，１内に埋設したフェルト製の軟質シートＳにより回動自在に連結し、角辺2a，2a間に、軟質シートＳによるヒンジSbを形成している。
【００２０】
符号Ｃは立方積木体であり、図１(ｃ)に示すように、一辺の長さが前記三角柱駒１，１における二等辺の長さと同一の立方角柱駒３,３の角辺3a同士を、両側部Sa，Saを両立方柱駒３，３内に埋設したフェルト製の軟質シートＳにより回動自在に連結し、角辺3a，3a間に、軟質シートＳによるヒンジSbを形成している
【００２１】
符号Ｄは直方積木体であり、図１(ｄ)に示すように、一辺の長さが前記三角柱駒1aにおける二等辺の長さと同一長さで、他辺の長さが前記三角柱駒1aにおける二等辺の長さの、１／２の長さよりなる矩形状の直方角柱駒４，４との角辺4a同士を、直方角柱駒４,４内に両側部Sa，Saを埋設した軟質シートＳにより回動自在に連結し、角辺4b間に、軟質シートＳによるヒンジSbを形成している。
【００２２】
上記実施形態における図１(ａ)に示す三角積木体Ａを２個重ねて、図２に示すように「子犬」を形成した後、下側の三角積木体Ａにおける左側の三角駒１を内側に回動させると、子犬が座った状態に変化する。
【００２３】
図１(ｂ)に示す三角積木体Ｂを２個重ねて、図３に示すように「ヨット」を形成した後、下側の三角積木体Ｂを回動させ、上側の三角積木体Ｂを積み変えると、「白鳥」に変化する。
【００２４】
図１(ａ)に示す三角積木体Ａの上に、図１(ｂ)に示す三角積木体Ｂを重ねて、図４に示すように「花のつぼみ」を形成した後、上側の三角積木体Ｂを回動させると、「子豚」に変化する。
【００２５】
図１(ａ)に示す三角積木体Ａの上に、図１(ｄ)に示す直方積木体Ｄを重ねて、図５に示すように「子うさぎ」を形成した後、下側の三角積木体Ａを回動すると、「飛び跳ねている子うさぎ」に変化する
【００２６】
図１(c)に示す立方積木体Ｃの上に、図１(ｂ)に示す三角積木体Ｂを重ねて、図６に示すように「かぶと」を形成した後、下側の立方積木体Ｃを回動すると、「チューリップの花」に変化する。
【００２７】
このように、ヒンジを軸として積木体を回動させながら積み重ねて動物などを形成した後、積木体における角柱駒を回動することにより、別の動物などに変形させることができる。また角柱駒の外側面に現れた軟質シートの線模様が、組み立てた動物とか乗り物の装飾効果をもたらすので、新しい積木遊びができるものである。
【００２８】
また図７（ａ）に示すように、立方柱駒３の相対する角辺3a，3aに、三角柱駒１，１の内角が９０度の角辺1aを対向させ、前記と同様に立方柱駒３及び三角柱駒１，１内に埋設した軟質シートＳにより回動自在に連結し、角辺3a、1a間に軟質シートＳによるヒンジSbを形成した積木体Ｅとか、図７(ｂ)に示すように一辺の長さが前記三角柱駒１における二等辺の長さの２倍で、他辺の長さが前記三角柱駒１における二等辺の長さと同じ長さよりなる矩形状の直方角柱駒５の両側の角辺5a，5aに、立方角柱駒３,３の角辺3a，3aを、前記と同様に軟質シートＳにより回動自在に連結し、角辺5a、3a間に軟質シートＳによるヒンジSbを形成した積木体Ｆを使用するときは、図８に示す「蟹」のように高度な積木遊びができる。
【符号の説明】
【００２９】
Ａ        三角積木体
Ｂ        三角積木体
Ｃ        立方積木体
Ｄ        直方積木体
１        三角柱駒
２        三角柱駒
３        立方角柱駒
４        直方角柱駒
Ｓ        軟質シート
Sb        ヒンジ
【図１】
0003193883.tif 000003
【図２】
0003193883.tif 000004
【図３】
0003193883.tif 000005
【図４】
0003193883.tif 000006
【図５】
0003193883.tif 000007
【図６】
0003193883.tif 000008
【図７】
0003193883.tif 000009
【図８】
0003193883.tif 000010